(57)【特許請求の範囲】
【請求項１】
無線通信システムにおいて、複数のチャネルにわたる復号を容易にする方法であって、
以下の動作を実現するために、コンピュータ読取可能な記憶媒体に格納されたコンピュータ実行可能な命令群を実行するプロセッサを適用することと、
スケジューリング・イベントを、サービス提供されているデバイスへ、ダウンリンクで送信することと、
前記サービス提供されているデバイスから、符号化された送信を、符号化された複数のアップリンク・チャネルのうちの１つで受信することと、
前記スケジューリング・イベントに基づいて、符号化される可能性の低減されたアップリンク・チャネルのセットを決定することと、
前記符号化される可能性の低減されたアップリンク・チャネルのセットのうちのどれが送信されたのかを検出することと、
を備え、
前記検出することは、物理アップリンク制御チャネル（ＰＵＣＣＨ）および物理アップリンク共有チャネル（ＰＵＳＣＨ）においてエネルギ検出を実行することを備える、方法。
【請求項２】
前記サービス提供されているデバイスによって送信することが、または送信しないことが可能な応答のおのおのの組み合わせであって、アクノレッジメント（ＡＣＫ）、チャネル・フィードバック・インジケータ（ＣＱＩ）、データ、前記ＡＣＫとともに符号化されたデータ、前記ＣＱＩとともに符号化されたデータ、および、前記ＡＣＫおよび前記ＣＱＩの両方とともに符号化されたデータを備える組み合わせを決定することによって、符号化される可能性の低減されたアップリンク・チャネルのセットを決定することと、
前記スケジューリング・イベントのダウンリンク送信に応答しない送信を有する組み合わせを除去することによって、組み合わせのセットを低減することと、
をさらに備える請求項１に記載の方法。
【請求項３】
アップリンク・データ許可、ダウンリンク許可、およびアップリンク・チャネル・フィードバック許可からなるグループのうちの１または複数として、前記スケジューリング・イベントを送信すること、をさらに備える請求項１に記載の方法。
【請求項４】
前記グループはさらに、持続的なアップリンク・データ許可からなる、請求項３に記載の方法。
【請求項５】
アップリンク・データ許可、ダウンリンク許可、およびアップリンク・チャネル・フィードバック許可からなる前記スケジューリング・イベントを送信することと、
前記サービス提供されているデバイスが、少なくとも１つのスケジューリング・イベントに応答すると仮定することによって、スケジューリング・イベントに基づいて、符号化される可能性の低減されたアップリンク・チャネルのセットを決定することと、
アップリンク・データを第１のアップリンク・チャネルで検出することと、
アクノレッジメント、チャネル・フィードバック、またはこれら両方とともに多重化されたアップリンク・データを、前記第１のアップリンク・チャネルで検出することと、
アップリンク・チャネル・フィードバックを第２のアップリンク・チャネルで検出することと、
をさらに備える請求項３に記載の方法。
【請求項６】
前記アップリンク・データ許可は、持続的な許可を備える、請求項５に記載の方法。
【請求項７】
前記アップリンク・チャネル・フィードバック許可は、周期的な許可を備える、請求項５に記載の方法。
【請求項８】
アップリンク・データ許可、ダウンリンク許可、およびアップリンク・チャネル・フィードバック許可からなる組み合わせとして、前記スケジューリング・イベントを送信することと、
前記サービス提供されているデバイスが少なくとも１つのスケジューリング・イベントに応答し、送信されていないスケジューリング・イベントの組み合わせに応答しないと仮定することによって、スケジューリング・イベントに基づいて、符号化される可能性の低減されたアップリンク・チャネルのセットを決定することと、
アップリンク・データを第１のアップリンク・チャネルで検出すること、
アクノレッジメント、チャネル・フィードバック、またはこれら両方とともに多重化されたアップリンク・データを、前記第１のアップリンク・チャネルで検出すること、および、
アップリンク・チャネル・フィードバックを第２のアップリンク・チャネルで検出すること、
のうちの少なくとも１つを実行することによって、前記符号化される可能性の低減されたアップリンク・チャネルのセットのうちのどれが送信されたのかを検出することと、
をさらに備える請求項３に記載の方法。
【請求項９】
前記第２のアップリンク・チャネルにおけるアップリンク・チャネル・フィードバック許可は、周期的な許可を備える、請求項８に記載の方法。
【請求項１０】
前記アップリンク・データ許可は、持続的な許可を備える、請求項８に記載の方法。
【請求項１１】
ＰＵＳＣＨにおいて、復調基準信号からのエネルギ検出を実行することをさらに備える、請求項１に記載の方法。
【請求項１２】
ＰＵＳＣＨにおいて、データおよび復調基準信号（ＲＳ）からのエネルギ検出を実行することをさらに備える、請求項１に記載の方法。
【請求項１３】
ＰＵＳＣＨにおいて、非コヒーレントな蓄積によるエネルギ検出を実行することをさらに備える、請求項１に記載の方法。
【請求項１４】
サブフレーム内に存在するチャネル品質インジケーション（ＣＱＩ）を判定することに応じてＰＵＣＣＨでエネルギ検出を実行することをさらに備え、
エネルギ検出の前に、ＰＵＣＣＨの周波数領域逆拡散がなされる、請求項１に記載の方法。
【請求項１５】
ＰＵＳＣＨにおいて、復調基準信号およびチャネル品質インジケーション（ＣＱＩ）からエネルギ検出を実行することをさらに備える、請求項１に記載の方法。
【請求項１６】
異なる送信電力制御を補償するために、前記物理アップリンク制御チャネル（ＰＵＣＣＨ）および前記物理アップリンク共有チャネル（ＰＵＳＣＨ）におけるエネルギ検出を規格化することをさらに備える、請求項１に記載の方法。
【請求項１７】
エネルギ検出値を、電力スペクトル密度オフセットに関してスケールすることをさらに備える、請求項１６に記載の方法。
【請求項１８】
ＰＵＳＣＨ対ＰＵＣＣＨのために相対的な判定基準を用いることをさらに備える、請求項１６に記載の方法。
【請求項１９】
ＰＵＳＣＨ対ＰＵＣＣＨのために絶対的な判定基準を用いることをさらに備える、請求項１６に記載の方法。
【請求項２０】
無線通信システムにおいて、複数のチャネルにわたる復号を容易にするためのコンピュータ・プログラム製品であって、
少なくとも１つのプロセッサによって実行された場合、以下の構成要素を実現するコンピュータ実行可能な命令群を格納する、少なくとも１つのコンピュータ読取可能な記憶媒体を備え、前記構成要素は、
サービス提供されているデバイスへ、ダウンリンクで、スケジューリング・イベントを送信するためのコードからなる第１のセットと、
前記サービス提供されているデバイスから、符号化された送信を、符号化された複数のアップリンク・チャネルのうちの１つで受信するためのコードからなる第２のセットと、
前記スケジューリング・イベントに基づいて、符号化される可能性の低減されたアップリンク・チャネルのセットを決定するためのコードからなる第３のセットと、
前記符号化される可能性の低減されたアップリンク・チャネルのセットのうちのどれが送信されたのかを検出するためのコードからなる第４のセットと、
を備え、
前記検出するためのコードからなる第４のセットは、物理アップリンク制御チャネル（ＰＵＣＣＨ）および物理アップリンク共有チャネル（ＰＵＳＣＨ）においてエネルギ検出を実行することを備える、コンピュータ・プログラム製品。
【請求項２１】
無線通信システムにおいて、複数のチャネルにわたる復号を容易にする装置であって、
サービス提供されているデバイスへ、ダウンリンクで、スケジューリング・イベントを送信する手段と、
前記サービス提供されているデバイスから、符号化された送信を、符号化された複数のアップリンク・チャネルのうちの１つで受信する手段と、
前記スケジューリング・イベントに基づいて、符号化される可能性の低減されたアップリンク・チャネルのセットを決定する手段と、
前記符号化される可能性の低減されたアップリンク・チャネルのセットのうちのどれが送信されたのかを検出する手段と、
を備え、
前記検出する手段は、物理アップリンク制御チャネル（ＰＵＣＣＨ）および物理アップリンク共有チャネル（ＰＵＳＣＨ）においてエネルギ検出を実行することを備える、装置。
【請求項２２】
無線通信システムにおいて、複数のチャネルにわたる復号を容易にする装置であって、
サービス提供されているデバイスへ、ダウンリンクで、スケジューリング・イベントを送信する送信機と、
前記サービス提供されているデバイスから、符号化された送信を、符号化された複数のアップリンク・チャネルのうちの１つで受信する受信機と、
前記スケジューリング・イベントに基づいて、符号化される可能性の低減されたアップリンク・チャネルのセットを決定するコンピューティング・プラットフォームと、
前記符号化される可能性の低減されたアップリンク・チャネルのセットのうちのどれが送信されたのかを検出する検出器と、
を備え、
前記検出器は、物理アップリンク制御チャネル（ＰＵＣＣＨ）および物理アップリンク共有チャネル（ＰＵＳＣＨ）においてエネルギ検出を実行することを備える、装置。
【請求項２３】
前記コンピューティング・プラットフォームはさらに、
前記サービス提供されているデバイスによって送信することが、または送信しないことが可能な応答のおのおのの組み合わせであって、アクノレッジメント（ＡＣＫ）、チャネル・フィードバック・インジケータ（ＣＱＩ）、データ、前記ＡＣＫとともに符号化されたデータ、前記ＣＱＩとともに符号化されたデータ、および、前記ＡＣＫおよび前記ＣＱＩの両方とともに符号化されたデータを備える組み合わせを決定することによって、符号化される可能性の低減されたアップリンク・チャネルのセットを決定し、
前記スケジューリング・イベントのダウンリンク送信に応答しない送信を有する組み合わせを除去することによって、組み合わせのセットを低減する、
請求項２２に記載の装置。
【請求項２４】
前記送信機はさらに、アップリンク・データ許可、ダウンリンク許可、およびアップリンク・チャネル・フィードバック許可からなるグループのうちの１または複数として、前記スケジューリング・イベントを送信する、請求項２２に記載の装置。
【請求項２５】
前記グループはさらに、持続的なアップリンク・データ許可からなる、請求項２４に記載の装置。
【請求項２６】
前記送信機はさらに、アップリンク・データ許可、ダウンリンク許可、およびアップリンク・チャネル・フィードバック許可からなる前記スケジューリング・イベントを送信し、
前記コンピューティング・プラットフォームはさらに、前記サービス提供されているデバイスが、少なくとも１つのスケジューリング・イベントに応答すると仮定することによって、スケジューリング・イベントに基づいて、符号化される可能性の低減されたアップリンク・チャネルのセットを決定し、アップリンク・データを第１のアップリンク・チャネルで検出し、
前記検出器はさらに、アクノレッジメント、チャネル・フィードバック、またはこれら両方とともに多重化されたアップリンク・データを、前記第１のアップリンク・チャネルで検出し、アップリンク・チャネル・フィードバックを第２のアップリンク・チャネルで検出する、請求項２４に記載の装置。
【請求項２７】
前記アップリンク・データ許可は、持続的な許可を備える、請求項２６に記載の装置。
【請求項２８】
前記アップリンク・チャネル・フィードバック許可は、周期的な許可を備える、請求項２６に記載の装置。
【請求項２９】
前記送信機はさらに、アップリンク・データ許可、ダウンリンク許可、およびアップリンク・チャネル・フィードバック許可からなる組み合わせとして、前記スケジューリング・イベントを送信し、
前記コンピューティング・プラットフォームはさらに、前記サービス提供されているデバイスが少なくとも１つのスケジューリング・イベントに応答し、送信されていないスケジューリング・イベントの組み合わせに応答しないと仮定することによって、スケジューリング・イベントに基づいて、符号化される可能性の低減されたアップリンク・チャネルのセットを決定し、
前記検出器はさらに、アップリンク・データを第１のアップリンク・チャネルで検出すること、アクノレッジメント、チャネル・フィードバック、またはこれら両方とともに多重化されたアップリンク・データを、前記第１のアップリンク・チャネルで検出すること、および、アップリンク・チャネル・フィードバックを第２のアップリンク・チャネルで検出すること、のうちの少なくとも１つを実行することによって、前記符号化される可能性の低減されたアップリンク・チャネルのセットのうちのどれが送信されたのかを検出する、
請求項２４に記載の装置。
【請求項３０】
前記第２のアップリンク・チャネルにおけるアップリンク・チャネル・フィードバック許可は、周期的な許可を備える、請求項２９に記載の装置。
【請求項３１】
前記アップリンク・データ許可は、持続的な許可を備える、請求項２９に記載の装置。
【請求項３２】
前記検出器はさらに、ＰＵＳＣＨにおいて、復調基準信号からのエネルギ検出を実行する、請求項２２に記載の装置。
【請求項３３】
前記検出器はさらに、ＰＵＳＣＨにおいて、データおよび復調基準信号（ＲＳ）からのエネルギ検出を実行する、請求項２２に記載の装置。
【請求項３４】
前記検出器はさらに、ＰＵＳＣＨにおいて、非コヒーレントな蓄積によるエネルギ検出を実行する、請求項２２に記載の装置。
【請求項３５】
前記検出器はさらに、サブフレーム内に存在するチャネル品質インジケーション（ＣＱＩ）を判定することに応じてＰＵＣＣＨでエネルギ検出を実行し、
エネルギ検出の前に、ＰＵＣＣＨの周波数領域逆拡散がなされる、請求項２２に記載の装置。
【請求項３６】
前記検出器はさらに、基準信号およびチャネル品質インジケーション（ＣＱＩ）を復調することによってＰＵＳＣＨにおいてエネルギ検出を実行する、請求項２２に記載の装置。
【請求項３７】
前記コンピューティング・プラットフォームはさらに、異なる送信電力制御を補償するために、前記物理アップリンク制御チャネル（ＰＵＣＣＨ）および前記物理アップリンク共有チャネル（ＰＵＳＣＨ）におけるエネルギ検出を規格化する、請求項２２に記載の装置。
【請求項３８】
前記コンピューティング・プラットフォームはさらに、エネルギ検出値を、電力スペクトル密度オフセットに関してスケールする、請求項３７に記載の装置。
【請求項３９】
前記コンピューティング・プラットフォームはさらに、ＰＵＳＣＨ対ＰＵＣＣＨのために相対的な判定基準を用いる、請求項３７に記載の装置。
【請求項４０】
前記コンピューティング・プラットフォームはさらに、ＰＵＳＣＨ対ＰＵＣＣＨのために絶対的な判定基準を用いる、請求項３７に記載の装置。
【発明の詳細な説明】
【技術分野】
【０００１】
本開示は、一般に、通信に関し、さらに詳しくは、無線通信ネットワークにおいて情報を受信し復号するための技術に関する。
【背景技術】
【０００２】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
一般に、無線多元接続通信システムは、複数の無線端末のための通信を同時にサポートしうる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力（ＳＩＳＯ）システム、複数入力単一出力（ＭＩＳＯ）システム、単一入力複数出力（ＳＩＭＯ）システム、または複数入力複数出力（ＭＩＭＯ）システムによって確立されうる。
【０００４】
ユニバーサル・モバイル・テレコミュニケーション・システム（ＵＭＴＳ）は、第３世代（３Ｇ）セル電話技術のうちの１つである。ＵＭＴＳ地上ラジオ・アクセス・ネットワークの省略であるＵＴＲＡＮは、ＵＭＴＳコア・ネットワークを形成する基地局（ノードＢ）およびラジオ・ネットワーク・コントローラ（ＲＮＣ）の総称語である。この通信ネットワークは、リアル・タイム交換回路からＩＰベースのパケット交換までの多くのトラフィック・タイプを伝送しうる。ＵＴＲＡＮは、ＵＥ（ユーザ機器）とコア・ネットワークとの間の接続を可能にする。ＵＴＲＡＮは、ノードＢ呼ばれる基地局およびＲＮＣを含む。ＲＮＣは、１または複数のノードＢのための制御機能を提供する。一般的な実装は、複数のノードＢにサービス提供している中央事務所に位置する別のＲＮＣを有するが、ノードＢおよびＲＮＣは、同じデバイスでありうる。これらは物理的に分離される必要はないという事実にもかかわらず、これらの間には、Ｉｕｂとして知られている論理インタフェースが存在する。ＲＮＣおよび対応するノードＢは、ラジオ・ネットワーク・サブシステム（ＲＮＳ）と呼ばれる。ＵＴＲＡＮの中に、複数のＲＮＳが存在する場合がある。
【０００５】
第３世代パートナシップ計画（３ＧＰＰ）ＬＴＥ（ロング・ターム・イボリューション）は、ＵＭＴＳモバイル電話規格を将来の要件に対処させるよう改善する、３ＧＰＰ内のプロジェクトに対して与えられた名称である。目標は、効率を改善すること、コストを低減すること、サービスを向上すること、新たなスペクトル機会を活用すること、および、他のオープン規格との良好なインテグレーションを含む。ＬＴＥシステムは、イボルブドＵＴＲＡ（ＥＵＴＲＡ）およびイボルブドＵＴＲＡＮ（ＥＵＴＲＡＮ）仕様シリーズに記載されている。向上された通信サービスおよび改善された効率を提供するために、セルラ通信システムは、継続的に発展および強化されている。現在、第３世代パートナシップ計画（３ＧＰＰ）規格体系は、ＬＴＥとして知られているユニバーサル・モバイル・テレコミュニケーション・システム（ＵＭＴＳ）に対する改良を標準化する過程にある。
【０００６】
同様に、例えば、高速ダウンリンク・パケット・アクセス（ＨＳＤＰＡ）および高速アップリンク・パケット・アクセス（ＨＳＵＰＡ）のような発展した通信サービスのために、ＬＴＥは、エア・インタフェースを介した制御データおよびユーザ・トラフィックに割り当てられた通信リソースの非常に高速なスケジューリングを用いる。具体的には、ユーザ・トラフィックのスケジューリングは、個々のサービス提供基地局（ｅノードＢ）において実行されうる。これによって、スケジューリングを非常に高速にすることが可能となり、個々のユーザ機器（ＵＥ）への伝搬チャネルの特性の変化に追従できるようになりうる。これは、ＵＥのためのデータをスケジュールするために使用され、もって、このデータは、現在有利な伝搬状態を享受しているＵＥのために有利にスケジュールされるようになる。高速スケジューリングは、物理アップリンク共有チャネル（ＰＵＳＣＨ）として知られている物理チャネルで送信されるアップリンク・ユーザ・データ・トラフィックと、物理ダウンリンク共有チャネル（ＰＤＳＣＨ）として知られている物理チャネルで送信されるダウンリンク・ユーザ・データ・トラフィックと、の両方について実行されうる。
【０００７】
ＬＴＥでは、リソース割当は、１乃至１０の間のサブフレームの一般的なスケジューリング期間（すなわち、どれだけ頻繁にスケジューリング・アルゴリズムが実行するのか）を持つわずか１ｍｓの持続時間を持つサブフレームにおいて変更されうる。１つのフレームは、１０のこのような連続サブフレームからなる。ＰＵＳＣＨとＰＤＳＣＨは、共有チャネルであり、ここでは、スケジューリングは、現在の伝搬状態のみならず、ＵＥのリソース要件にも依存する。スケジューリングの単純化およびシグナリング・オーバヘッドの低減のために、ＬＴＥは、持続的なスケジューリングを考慮する。ここでは、ＰＵＳＣＨまたはＰＤＳＣＨのためのリソース割当が、複数のサブフレームについてなされうる。
【０００８】
基地局における効率的な高速スケジューリングを提供するために、ＵＥは、スケジューリングしている基地局へ、アップリンク制御情報を送信しうる。具体的には、ＵＥは、ＵＥの現在の伝搬状態を示すチャネル品質インジケータ（ＣＱＩ）データを送信する。ＵＥは、受信信号の測定に基づいて、ＣＱＩを生成する。これは、基地局からＵＥへ、エア・インタフェース通信チャネルによってサポートされるべきであると考えられるデータ・レートおよび変調スキームを示しうるか、または、信号対雑音および干渉比の尺度でありうる。別の例として、ＬＴＥは、（自動反復要求（ＡＲＱ）またはハイブリッドＡＲＱ（ＨＡＲＱ）と称される）再送信スキームを使用し、ＵＥは、個々のデータ・パケットが再送信される必要があるのかを判定するために使用されるアップリンク・アクノレッジ（ＡＣＫ）メッセージまたは否定的アクノレッジ（ＮＡＣＫ）メッセージの形態でＡＲＱデータを送信する。さらに別の例として、ＬＴＥは、基地局が、適応アンテナ技術を利用することを可能にし、ＵＥは、個々のアンテナ素子のために、ＵＥによって推奨されるアンテナ重みをシグナルするために使用されるプリコーディング行列インデクス（ＰＭＩ）をレポートしうる。
【０００９】
アップリンク制御情報は、物理アップリンク・チャネルを使用して送信される。具体的には、ＵＥがＰＵＳＣＨでアップリンク・ユーザ・データ・トラフィックを送信するサブフレームでは、送信に制御データが組み込まれ、これによって、制御情報が、ＰＵＳＣＨで基地局へ送信されるようになる。しかしながら、アップリンク・ユーザ・データ・トラフィックがＰＵＳＣＨで送信されないサブフレームの場合、ＵＥは、制御情報を送信するために、物理アップリンク制御チャネル（ＰＵＣＣＨ）として知られている物理アップリンク・チャネルを用いる。したがって、制御情報の送信のために使用される物理エア・インタフェース・チャネルは、別のサブフレームについて変動しうる。
【発明の概要】
【００１０】
以下は、開示された態様のうちのいくつかの態様の基本的な理解を与えるために、より単純化された概要を提供する。この概要は、広範囲な概観ではなく、重要または決定的な要素を識別することでも、そのような態様の範囲を線引きすることも意図されていない。その目的は、記載された特徴のうちのいくつかの概念を、後に表されるより詳細な記載に対する前置きとして、より簡単な形式で表すことである。
【００１１】
１つの態様では、以下に示す動作を実現するために、コンピュータ読取可能格納な記憶媒体に格納されたコンピュータ実行可能な命令群を実行するプロセッサを適用することによって、無線通信システムにおいて、複数のチャネルにわたって復号すること容易にする方法が提供される。スケジューリング・イベントが、サービス提供されているデバイスへ、ダウンリンクで送信される。符号化された送信が、サービス提供されているデバイスから、符号化された複数のアップリンク・チャネルのうちの１つで受信される。符号化される可能性の低減されたアップリンク・チャネルのセットが、スケジューリング・イベントに基づいて決定される。符号化される可能性の低減されたアップリンク・チャネルのセットのうちの何れが送信されたのかが検出される。
【００１２】
別の態様では、無線通信システムにおいて、複数のチャネルにわたる復号を容易にするコンピュータ・プログラム製品が提供される。少なくとも１つのコンピュータ読取可能な記憶媒体は、少なくとも１つのプロセッサによって実行された場合、構成要素を実現するコンピュータ実行可能な命令群を格納する。構成要素は、サービス提供されているデバイスへ、ダウンリンクで、スケジューリング・イベントを送信する。構成要素は、符号化される送信を、サービス提供されているデバイスから、符号化された複数のアップリンク・チャネルで受信する。構成要素は、スケジューリング・イベントに基づいて、符号化される可能性の低減されたアップリンク・チャネルのセットを決定する。構成要素は、符号化される可能性の低減されたアップリンク・チャネルのセットのうちのどれが送信されたのかを検出する。
【００１３】
さらなる態様では、無線通信システムにおいて、複数のチャネルにわたる復号を容易にする装置が提供される。少なくとも１つのコンピュータ読取可能な記憶媒体は、少なくとも１つのプロセッサによって実行された場合、構成要素を実現するコンピュータ実行可能な命令群を格納する。サービス提供されているデバイスへ、ダウンリンクで、スケジューリング・イベントを送信する手段が提供される。符号化された送信を、サービス提供されているデバイスから、符号化された複数のアップリンク・チャネルで受信する手段が提供される。スケジューリング・イベントに基づいて、符号化される可能性の低減されたアップリンク・チャネルのセットを決定する手段が提供される。符号化される低減されたアップリンク・チャネルの可能性のセットのうちのどれが送信されたのかを検出する手段が提供される。
【００１４】
さらなる態様では、無線通信システムにおいて、複数のチャネルにわたる復号を容易にする装置が提供される。プロセッサは、以下のようなコンピュータ実行可能な構成要素を格納したコンピュータ読取可能な記憶媒体に動作可能に接続される。送信機は、サービス提供されているデバイスへ、ダウンリンクで、スケジューリング・イベントを送信する。受信機は、符号化された送信を、サービス提供されているデバイスから、符号化された複数のアップリンク・チャネルで受信する。コンピューティング・プラットフォームは、スケジューリング・イベントに基づいて、符号化される可能性の低減されたアップリンク・チャネルのセットを決定する。検出器は、符号化される可能性の低減されたアップリンク・チャネルのセットのうちのどれが送信されたのかを検出する。
【００１５】
前述した目的および関連する目的を達成するために、１または複数の態様は、後に十分に説明され、特許請求の範囲で特に指摘される特徴を備える。以下の記述および関連図面は、ある例示的な態様をより詳細に説明し、これら態様の原理が適用されるさまざまな方式のうちの少数を示す。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、ジャミング・グラフを用いて、リソースを割り当てるために、ノード間のバックホール通信が使用される無線通信システムのブロック図を図示する。
【図２Ａ】図２Ａは、無線通信システムにおいて、複数のチャネルにわたる復号を容易にするための動作のシーケンスまたは方法のためのフロー図を図示する。
【図２Ｂ】図２Ｂは、無線通信システムにおいて、複数のチャネルにわたる復号を容易にするための動作のシーケンスまたは方法のためのフロー図を図示する。
【図３】図３は、端末の集合にサービス提供し、端末の集合とインタフェースする基地局のブロック図を図示する。
【図４】図４は、多元接続無線通信システムのブロック図を図示する。
【図５】図５は、基地局と端末との間の通信システムのブロック図を図示する。
【図６】図６は、ネットワーク環境内のアクセス・ポイント基地局の配置を可能にする通信システムのブロック図を図示する。
【図７】図７は、無線通信システムにおいて、複数のチャネルにわたる復号を容易にする電子構成要素の論理グループを含むシステムのブロック図を図示する。
【図８】図８は、無線通信システムにおいて、複数のチャネルにわたる復号を容易にする手段を有する装置のブロック図を図示する。
【発明を実施するための形態】
【００１７】
第３世代パートナシップ計画（３ＧＰＰ）ＬＴＥ（ロング・ターム・イボリューション）では、アップリンクＡＣＫ（アクノレッジ）ビットおよびＣＱＩ（チャネル品質インジケータ）ビットは、低いピーク対平均比（ＰＡＲ）波形を維持するために、同じリソースでともに送信される。さらに、データが送信される必要がある場合、送信前に、アップリンク制御チャネルが、データとともに多重化される。しかしながら、ダウンリンク（ＤＬ）割当およびアップリンク（ＵＬ）割当における誤りによって、イボルブド・ベース・ノード（ｅＮＢ）受信機は、制御チャネルを復号するために、および、ブラインド復号仮説数を最小化するために、ルールのセットを適用する必要がある。本イノベーションは、ＵＥが、１または複数のタイプの許可が受信されない組み合わせのために備えている間、ダウンリンクの許可に対して応答すると仮定することによって部分的に、複雑さおよび計算上のオーバヘッドを低減するために、受信機によって適用されるルールを説明する。異なる電力制御を規格化することと判定基準とにしたがうエネルギ検出によって、復号のための正確な組み合わせを選択することが可能となる。
【００１８】
さまざまな態様が、図面を参照して記載される。以下の記載では、説明の目的のために、１または複数の態様の完全な理解を提供するために、多くの具体的な詳細が述べられる。しかしながら、これらさまざまな態様は、これら特定の詳細無しで実現されうることが明白である。他の事例では、これら態様の記載を容易にするために、周知の構成およびデバイスが、ブロック図形式で示される。
【００１９】
図１に示すように、通信システム１００は、無線（すなわち、オーバ・ザ・エア）データ・パケット通信のために、ユーザ機器（ＵＥ）１０４として図示されているアクセス端末をスケジュールする、例えばイボルブド・ベース・ノード（ｅＮＢ）１０２のような基地局を有する。この目的のために、ダウンリンク（ＤＬ）１０８のレイヤ３（Ｌ３）１−６では、ｅＮＢ１０２は、チャネル品質インジケーション（ＣＱＩ）スケジューリング１１２として図示されているチャネル・フィードバックをレポートするために、持続的な（周期的な）許可をアップリンク（ＵＬ）１１０で提供しうる。
【００２０】
Ｌ２レイヤ（例えば、物理ダウンリンク制御チャンネル（ＰＤＣＣＨ））１１４は、ＵＥ１０４に対して、ｅＮＢ１０２からデータを受信するように要求するＤＬ許可１１６を送信するために使用されうる。別のスケジューリング・イベントは、典型的な態様では物理アップリンク共有チャネル（ＰＵＳＣＨ）１２２であるＵＬ１１０で、ＵＥ１０４がデータ１２０を送信するためのＵＬ許可１１８でありうる。いくつかの事例では、持続的なＵＬ許可１２４が、Ｌ２（ＰＤＣＣＨ）１１４によって提供される。ここで、ＵＥ１０４は、持続的なデータ１２６を、ＰＵＳＣＨ１２２で送信しうる。Ｌ３による持続的ＣＱＩスケジューリング１１２の代わりに、ｅＮＢ１０２はまた、ＵＥに対して、非周期的なＣＱＩチャネル・フィードバック許可を送信するよう要求するために、Ｌ２（ＰＤＣＣＨ）１１４を使用しうる。
【００２１】
ＵＥ１０４は、ＤＬ許可１１６によってスケジュールされたように、ダウンリンクでのデータの受信をアクノレッジ（ＡＣＫ）１３０することを期待されている。ＵＥ１０４は、ｅＮＢからのＬ２許可（ＰＤＣＣＨ）１１４に基づいて、非周期的または周期的かの何れかでＣＱＩ１３２を送信する。ＵＥ１０４が、Ａｃｋ１３０および／またはＣＱＩ１３２の何れかを送信するための制御しか有していない場合、物理アップリンク制御チャネル（ＰＵＣＣＨ）１３４が使用される。前述したように、ＰＵＳＣＨ１２２は、データ１２０、１２６のために使用される。これは、データ１２０、１２６とともに送信されることが想定されている場合、ＡｃＫ１３６および／またはＣＱＩ１３８を多重化することを伴いうる。
【００２２】
制御（例えば、ＡＣＫとＣＱＩ）およびデータを多重化するのにいくつかの方式がある。１つのアプローチは、ＰＵＣＣＨ１３４リソースが、ＰＵＳＣＨ１２２のリソースを必要とするすべてのＵＥに割り当てられ、これによって、たとえＰＵＳＣＨ１２２でユーザ・データが送信されない場合であっても、物理チャネルがＣＱＩデータの送信のために利用可能になることであろう。しかしながら、ＬＴＥは、シングル・キャリア周波数分割多元接続（ＳＣ−ＦＤＭＡ）変調スキームを使用する。これは、１４０に示されるように、すべてのアップリンク送信が、連続したサブキャリアのセットを使用することを要求する。ＰＵＣＣＨ１３４は、利用可能なサブキャリアの先頭および終端に向けてサブキャリアに割り当てられ、ＰＵＳＣＨ１２４は、ＰＵＣＣＨサブキャリアに隣接しないサブキャリアに割り当てられうるので、ＰＵＳＣＨ１２２およびＰＵＣＣＨ１３４を同時送信することは、一般的には可能ではない。したがって、アップリンク制御データは、このような送信がサブフレームにある場合、ＰＵＣＣＨ１２２でユーザ・データとともに送信され、そうではない場合、ＰＵＳＣＨ１３４で送信される。
【００２３】
ｅＮＢ１０２は、ダウンリンク１０８で、スケジューリング・イベント（単数または複数）によってＡｃｋ、ＣＱＩ、またはデータが促されているのかに関して、８つの異なるシナリオを復号することが期待されうる。特に、データと制御との可能な組み合わせに対処するために、ＵＥは、テーブル１に示されるような一定のリソースを送信する。
【００２４】
これらは、ＰＵＣＣＨ１３４におけるＣＱＩ（非周期的または周期的）１４２、Ａｃｋ１４４、およびＡｃｋ＋ＣＱＩ１４６、ＰＵＳＣＨ１２２におけるデータ１４８、持続的データ１５０、データ＋Ａｃｋ１５２、データ＋ＣＱＩ１５４、データ＋Ａｃｋ＋ＣＱＩ１５６として、時間／周波数表示１４０で図示されている。
【００２５】
しかしながら、このようなアプローチは、多くの不都合を有しうる。例えば、ＰＵＣＣＨリソースは、制限される傾向にあるが、アクティブに使用されていない状況でも確保される。さらに、アップリンク・データおよび制御は、２つの異なる物理チャネルで送信されうるので、ｅＮＢ１０２は一般に、チャネル１２２、１３４の両方を復号する。これによって、アップリンク制御データの復号のレイテンシが増加し、基地局の複雑さおよび計算上の需要が増加する。
【００２６】
有利なことに、ｅＮＢ１０２は、どのアップリンク送信が促されているのかを知っているスケジューリング・イベント構成要素１６０からの情報から利益を得る。いくつかの事例では、１６２に図示されるような経路喪失や干渉等によって、ＵＥ１０４は、スケジュール・イベントを見失う。ｅＮＢ１０２は、低減セット・コンピューティング・プラットフォーム１６４から利益を得うる。低減セット・コンピューティング・プラットフォーム１６４は、対応する促しが無ければＵＥ１０４は、アップリンク１１０で応答（すなわち、データ、Ａｃｋ、ＣＱＩ）を提供しないであろうとの誘導仮定を行う。これは、ブラインド復号される必要のある可能性（例えば、仮説）のセットを低減する。ロバスト化のために、この低減セットは、許可がＵＥ１０４によって見失われたことをも考慮する。エネルギ検出器１６６は、特定の時間フレームのために決定された低減セットを用いて、特定の応答がＵＥ１０４からのアップリンク送信に存在するのかを判定する。２つのチャネルは個別の電力制御を有するので、チャネル判定基準／規格化構成要素１６８は、かなり正しい組み合わせを決定するために、検出された可能性を比較する際における支援を行う。その後、アップリンク復調／デコーダ１７０は、確認された正しい組み合わせにおける情報を利用しうる。
【００２７】
図２Ａ−２Ｂでは、無線通信システムにおいて、複数のチャネルにわたる復号を容易にする動作２００のシーケンスまたは方法が提供される。ｅＮＢから、サービス提供されているデバイス（例えば、ユーザ機器（ＵＥ））へ、ダウンリンクで、スケジューリング・イベントが送信される（ブロック２０２）。特に、スケジューリング・イベントは、アップリンク・データ許可（ブロック２０４）、ダウンリンク許可（ブロック２０６）、およびアップリンク・チャネル・フィードバック許可（ブロック２０８）からなるグループのうちの１または複数でありうる。典型的な実施では、ＵＥがアップリンクで送信するための制御しか有していない場合、ＵＥは、ＰＵＣＣＨを使用する（ブロック２１０）。ＵＥが、制御ありで送信するデータを、または制御無しで送信するデータを有しており、後者が、Ａｃｋおよび／またはチャネル品質インジケータ（ＣＱＩ）を含んでいる場合、ＵＥは、ＰＵＳＣＨで送信する（ブロック２１２）。
【００２８】
いくつかの事例では、ブロック２０４のアップリンク・データ許可は、持続的な許可であり、これによって、サービス提供されているデバイスは、複数のフレームについて、フレームの第１のインタバルで送信できるようになる（ブロック２１４）。さらに、いくつかの事例では、アップリンク・チャネル・フィードバック許可（例えば、ＣＱＩ）は、動的ではなく、周期的でありうる（ブロック２１６）。例えば、周期的な構成は、ダウンリンクのＬ３レイヤ上で達成されうる。ＣＱＩは、このＬ３構成に基づいて、サイクリックなシフトを持つリソース・ブロック（ＲＢ）の一部としてスケジュールされうる（ブロック２１８）。
【００２９】
ブロック２０６のダウンリンク・スケジューリング許可に応答して、ＵＥは、正しく受信された場合にはアクノレッジ（ＡＣＫ）することが、または、ＵＥが送信を認識した場合には正しくない受信を断定的に示す（Ｎａｃｋ）ことが期待されている。したがって、Ａｃｋは、ダウンリンクがスケジュールされているか否かに依存する非周期的な応答であり、Ｌ２レイヤ（物理ダウンリンク制御チャネル（ＰＤＣＣＨ））またはＬ３（持続的）ベースかの何れかによってスケジュールされる（ブロック２２０）。典型的な実施では、ＡＣＫは、サイクリックなシフトおよび時間領域拡散符号を持つリソース・ブロック（ＲＢ）の一部としてアップリンクで送信され、ＰＤＣＣＨまたはダウンリンク仮想リソース・ブロック（ＶＲＢ）インデクスに基づいて暗黙的にマップされる（ブロック２２２）。
【００３０】
いくつかの事例では、スケジューリング・イベントは、ＣＱＩとＡｃｋとの両方によって、適切に応答される。この結合された制御応答は、ＡＣＫが送信されるべきであるか、または、ＣＱＩを伴って送信されるべきではないかに依存して、非周期的である。典型的な実施では、ＣＱＩ＋Ａｃｋは、ＣＱＩ構成に基づいて、サイクリック・シフトを用いて、リソース・ブロック（ＲＢ）によって送信される（ブロック２２３）。
【００３１】
さらに、ブロック２１２に戻って、ＰＵＳＳＨで送信するデータは、Ｌ２レイヤ（ＰＤＣＣＨ）またはＬ３レイヤ（持続的）ベースの何れでアップリンクがスケジュールされるか否かに依存して非周期的である（ブロック２２４）。制御がデータを伴うべきである場合、制御Ａｃｋ、ＣＱＩ、または両方とともに、データが、ディスクリート・フーリエ変換（ＤＦＴ）前に多重化される（ブロック２２６）。その後、データのみ、または、適用可能なものとして制御（Ａｃｋおよび／またはＣＱＩ）とともに多重化されたデータが、ＰＵＳＣＨで送信される（ブロック２１２）。
【００３２】
有利なことに、受信エンティティ（例えば、ｅＮＢ）は、ブラインド復号試行数を低減しうる（ブロック２２８）。これによって、デバイス複雑さ、および、計算上のオーバヘッドが低減される。サービス提供されている多くのデバイスについて、このように高められた効率によって、拡張されたサービスまたはサービス品質（ＱｏＳ）が可能となりうる。したがって、ｅＮＢは、テーブル１の８つのシナリオ、すなわち、アクノレッジメント（ＡＣＫ）、チャネル・フィードバック（例えば、ＣＱＩ）、データ、Ａｃｋとともに符号化されたデータ、チャネル・フィードバックとともに符号化されたデータ、Ａｃｋおよびチャネル・フィードバックの両方とともに符号化されたデータ、チャネル・フォードバックおよびＡｃｋ、または何も無しのうちのおのおのを探索する必要はない（ブロック２３０）。ロバスト化のために、サービス提供されているデバイスは、ダウンリンク・スケジューリング・イベントに対して応答しうるか、または、応答に失敗しうることが仮定される（ブロック２３２）。可能性の低減されたセットを達成するために、サービス提供されているデバイスは、ダウンリンクで送信され、応答を促す対応するスケジューリング・イベントが無いのであれば、データ、ＣＱＩ、またはＡｃｋを用いて応答しないであろうことが仮定される（ブロック２３４）。対応するスケジューリング・イベントは、持続的または周期的なスケジューリングのために実質的により早期となりうる（ブロック２３６）。低減セットはまた、制御が、もしも存在するのであれば、ダウンリンク・シグナル設定（例えば、１または２ビットＣＱＩ、８ビットＣＱＩ）に準拠する仮定をも組み込む。チャネル品質インジケータ・チャネル（ＣＱＩＣＨ）では、２０の符号化ビットが利用可能であることが認識されるべきである。
【００３３】
ｅＮＢは、可能性の低減されたセットのうちのどれがＵＬで送信されたのかを検出する（ブロック２３８）。この検出は、復調基準信号（ＲＳ）からの低減されたセットの場合、ＰＵＳＣＨにおけるエネルギ検出によって（ブロック２４０）、データおよび復調基準信号（ＲＳ）からの場合、ＰＵＳＣＨにおけるエネルギ検出によって（ブロック２４２）、非コヒーレントな蓄積によるエネルギ検出によって（ブロック２４４）なされうる。
【００３４】
この検出はさらに、低減されたセットに適用可能であるのであれば、基準信号およびＣＱＩを復調することによって、データから制御を逆多重化することを含みうる（ブロック２４６）。
【００３５】
その代わりに、または、それに加えて、ＰＵＣＣＨにおけるエネルギ検出は、低減セットにあるのであれば、サブフレーム内に存在するチャネル品質インジケーション（ＣＱＩ）を判定することを含みうる。ここでは、エネルギ検出の前に、ＰＵＣＣＨの周波数領域逆拡散がなされる（ブロック２４８）。
【００３６】
ＰＵＣＣＨおよびＰＵＳＣＨにおけるエネルギ検出は、異なる送信電力制御を補償しうる（ブロック２５０）。一例では、エネルギ検出値のスケーリングが、電力スペクトル密度（ＰＳＤ）オフセットに関してなされる（ブロック２５２）。別の例では、ＰＵＳＣＨ対ＰＵＣＣＨのために、相対的な判定基準が使用されうる（ブロック２５４）。さらなる例では、ＰＵＳＣＨ対ＰＵＣＣＨのために、絶対的な判定基準が使用されうる（ブロック２５６）。
【００３７】
いくつかの態様では、本明細書における教示は、マクロ・スケールの有効通信範囲（例えば、一般にマクロ・セル・ネットワークと称される３Ｇ（第３世代）ネットワークのような大規模エリア・セルラ・ネットワーク）と、小規模スケールの有効通信範囲（例えば、住宅ベースまたはビルディング・ベースのネットワーク環境）とを含むネットワークにおいて適用される。アクセス端末（“ＡＴ”）は、このようなネットワーク内を移動すると、ある場所においては、マクロ有効通信範囲を提供するアクセス・ノード（“ＡＮ”）によってサービス提供されている一方、別の場所においては、より小規模な有効通信範囲を提供するアクセス・ノードによってサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００３８】
マクロ・ノード、フェムト・ノードあるいはピコ・ノードに関連付けられたセルは、マクロ・セル、フェムト・セル、あるいはピコ・セルとそれぞれ称される。いくつかの実施では、おのおののセルがさらに、１または複数のセクタに関連付けられうる（分割されうる）。
【００３９】
さまざまなアプリケーションでは、マクロ・ノード、フェムト・ノード、あるいはピコ・ノードを称するためにその他の用語が使用されうる。例えば、マクロ・ノードは、アクセス・ノード、基地局、アクセス・ポイント、ｅノードＢ、マクロ・セル等として構成されうるか、または、称されうる。さらに、フェムト・ノードは、ホーム・ノードＢ、ホームｅノードＢ、アクセス・ポイント基地局、フェムト・セル等として構成されうるか、称されうる。
【００４０】
図３に示す例において、基地局３１０ａ、３１０ｂ、３１０ｃは、それぞれマクロ・セル３０２ａ、３０２ｂ、３０２ｃのためのマクロ基地局でありうる。基地局３１０ｘは、端末３２０ｘと通信するピコ・セル３０２ｘのためのピコ基地局でありうる。基地局３１０ｙは、端末３２０ｙと通信するフェムト・セル３０２ｙのためのフェムト基地局でありうる。単純化のために図３では図示されていないが、マクロ・セルは、端部においてオーバラップしうる。ピコ・セルおよびフェムト・セルは、（図３に示されるように）マクロ・セル内に位置しうるか、または、マクロ・セルおよび／またはその他のセルとオーバラップしうる。
【００４１】
無線ネットワーク３００はまた、例えば、端末３２０ｚと通信する中継局３１０ｚのような中継局を含みうる。中継局は、データおよび／またはその他の情報の送信を上流局から受信し、データおよび／またはその他の情報の送信を下流局へ送信する局である。上流局は、基地局、別の中継局、または端末でありうる。下流局は、端末、別の中継局、または基地局でありうる。中継局はまた、他の端末のための送信を中継する端末でもありうる。中継局は、低再使用プリアンブルを送信および／または受信しうる。例えば、中継局は、ピコ基地局と類似の方式で低再使用プリアンブルを送信し、端末と類似の方式で低再使用プリアンブルを受信しうる。
【００４２】
ネットワーク・コントローラ３３０は、基地局のセットに接続しており、これら基地局に対して調整および制御を提供しうる。ネットワーク・コントローラ３３０は、単一のネットワーク・エンティティであるか、複数のネットワーク・エンティティの集合でありうる。ネットワーク・コントローラ３３０は、バックホールを介して基地局３１０と通信しうる。バックホール・ネットワーク通信３３４は、このような分散型アーキテクチャを用いる基地局３１０ａ−３１０ｃ間のポイント・トゥ・ポイント通信を容易にしうる。基地局３１０ａ−３１０ｃはまた、例えば、ダイレクトに、または、無線または有線のバックホールを介して非ダイレクトに、互いに通信しうる。
【００４３】
無線ネットワーク３００は、（図３に示されていない）マクロ基地局のみを含むホモジニアスなネットワークでありうる。無線ネットワーク３００はまた、例えば、マクロ基地局、ピコ基地局、ホーム基地局、中継局等のような異なるタイプの基地局を含むヘテロジニアスなネットワークでありうる。これら異なるタイプの基地局は、異なる送信電力レベル、異なる有効通信範囲エリア、および、無線ネットワーク３００内の干渉に対する異なるインパクトを有しうる。例えば、マクロ基地局は、高い送信電力レベル（例えば、２０ワット）を有する一方、ピコ基地局およびフェムト基地局は、低い送信電力レベル（例えば、９ワット）を有しうる。本明細書に記載された技術は、ホモジニアスなネットワークおよびヘテロジニアスなネットワークのために使用されうる。
【００４４】
端末３２０は、無線ネットワーク３００全体にわたって分布し、おのおのの端末は、据置式または移動式でありうる。端末は、アクセス端末（ＡＴ）、移動局（ＭＳ）、ユーザ機器（ＵＥ）、加入者ユニット、局等とも称されうる。端末は、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局等でありうる。端末は、ダウンリンクおよびアップリンクによって基地局と通信しうる。ダウンリンク（すなわち、順方向リンク）は、基地局から端末への通信リンクを称し、アップリンク（すなわち、逆方向リンク）は、端末から基地局への通信リンクを称する。
【００４５】
端末は、マクロ基地局、ピコ基地局、フェムト基地局、および／または、その他のタイプの基地局と通信可能でありうる。図３では、２つの矢印を持つ実線が、端末と、ダウンリンクおよび／またはアップリンクで端末にサービス提供するように指定された基地局であるサービス提供基地局との間の所望の送信を示す。２つの矢印を持つ破線は、端末と基地局との間の干渉送信を示す。干渉基地局とは、ダウンリンクで端末に対して干渉をもたらす、および／または、アップリンクで端末からの干渉を観察する基地局である。
【００４６】
無線ネットワーク３００は、同期動作または非同期動作を支援しうる。同期動作の場合、基地局は、同じフレーム・タイミングを有し、異なる基地局からの送信は、時間的に揃えられうる。非同期動作の場合、基地局は、異なるフレーム・タイミングを有し、異なる基地局からの送信は、時間的に揃わない。例えば全地球測位システム（ＧＰＳ）のような同期ソースにアクセスせず、屋内で展開されうるピコ基地局およびフェムト基地局の場合、非同期動作がより一般的でありうる。
【００４７】
１つの態様では、システム容量を向上するために、それぞれの基地局３１０ａ−３１０ｃに対応する有効通信範囲エリア３０２ａ、３０２ｂ、３０２ｃが、複数の小さなエリア（例えば、エリア３０４ａ、３０４ｂ、３０４ｃ）に分割されうる。これら小さなエリア３０４ａ、３０４ｂ、３０４ｃのおのおのは、ぞれぞれのベース・トランシーバ・サブシステム（図示しないＢＴＳ）によってサービス提供されうる。本明細書および当該技術分野で一般的に用いられているように、用語「セクタ」は、この用語が使用されるコンテキストに依存して、ＢＴＳおよび／またはその有効範囲エリアを称しうる。一例では、セル３０２ａ、３０２ｂ、３０２ｃ内のセクタ３０４ａ、３０４ｂ、３０４ｃは、基地局３１０において、（図示しない）アンテナのグループによって形成されうる。ここでは、アンテナのおのおののグループは、セル３０２ａ、３０２ｂ、３０２ｃの部分内の端末３２０との通信を担当する。例えば、セル３０２ａにサービス提供する基地局３１０は、セクタ３０４ａに対応する第１のアンテナ・グループと、セクタ３０４ｂに対応する第２のアンテナ・グループと、セクタ３０４ｃに対応する第３のアンテナ・グループとを有しうる。しかしながら、本明細書で開示されたさまざまな態様は、セクタ化されたセルおよび／またはセクタ化されていないセルを有するシステムにおいて使用されうることが認識されるべきである。さらに、任意の数のセクタ化されたセル、および／または、セクタ化されていないセルを有するすべての適切な無線通信ネットワークが、添付する特許請求の範囲のスコープ内に入ることが意図されていることが認識されるべきである。簡略のために、本明細書で使用される用語「基地局」は、セルにサービス提供する基地局のみならず、セクタにサービス提供する基地局をも称しうる。本明細書で使用されるように、分離されたリンク・シナリオにおけるダウンリンク・セクタは、近隣セクタであることが認識されるべきである。以下の記載は一般に、簡略のために、各端末が、１つのサービス提供アクセス・ポイントと通信しているシステムに関連しているが、端末は、任意の数のサービス提供アクセス・ポイントと通信しうることが認識されるべきである。
【００４８】
いくつかの態様では、（クローズド加入者グループ・ホーム・ノードＢとも称されうる）制限されたフェムト・ノードは、制限されたアクセス端末のプロビジョンされたセットへサービスを提供するノードである。必要な場合、このセットは、一時的または永続的に拡張されうる。いくつかの態様では、クローズド加入者グループ（“ＣＳＧ”）は、アクセス端末の共通アクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００４９】
所与のフェムト・ノードと、所与のアクセス端末またはユーザ機器との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することが許可されたフェムト・ノードを称しうる。ゲスト・フェムト・ノードは、アクセス端末がアクセスし動作することを一時的に許可されたフェムト・ノードを称しうる。外部フェムト・ノードは、恐らく緊急事態（例えば、９１１コール）を除いて、アクセス端末がアクセスして動作することが許可されないフェムト・ノードを称しうる。
【００５０】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００５１】
便宜上、本開示は、フェムト・ノードのコンテキストで、さまざまな機能を説明している。しかしながら、大規模な有効通信範囲エリアのために、ピコ・ノードが、同じまたは同様の機能を提供しうることが認識されるべきである。例えば、ピコ・ノードが制限され、所与のアクセス端末のためにホーム・ピコ・ノードが定義される等である。
【００５２】
無線多元接続通信システムは、複数の無線アクセス端末のための通信を同時にサポートすることができる。前述したように、おのおのの端末は、順方向リンクおよび逆方向リンクによる送信によって１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム（“ＳＩＳＯ”）、複数入力複数出力（“ＭＩＭＯ”）システム、あるいは、その他いくつかのタイプのシステムによって確立されうる。
【００５３】
図４に示すように、１つの態様にしたがった多元接続無線通信システムが例示される。アクセス・ポイント４００（ＡＰ）は、１つは４０４および４０６を含み、別の１つは４０８および４１０を含み、さらに別の１つは４１２および４１４を含む複数のアンテナ・グループを含む。図４では、おのおののアンテナ・グループについて２本のアンテナしか示されていない。しかしながら、おのおののアンテナ・グループについて、それより多いまたはそれより少ないアンテナが利用されうる。アクセス端末（ＡＴ）４１６はアンテナ４１２およびアンテナ４１４と通信する。ここで、アンテナ４１２およびアンテナ４１４は、順方向リンク４２０によってアクセス端末４１６へ情報を送信し、逆方向リンク４１８によってアクセス端末４１６から情報を受信しうる。アクセス端末４２２は、アンテナ４０６、４０８と通信する。ここで、アンテナ４０６、４０８は、順方向リンク４２６でアクセス端末４２２へ情報を送信し、逆方向リンク４２４でアクセス端末４２２から情報を受信する。ＦＤＤシステムでは、通信リンク４１８、４２０、４２４、４２６は、通信のために、異なる周波数を使用しうる。例えば、順方向リンク４２０は、逆方向リンク４１８によって使用されるものとは異なる周波数を使用しうる。
【００５４】
アンテナの各グループ、および／または、これらが通信するように設計された領域は、しばしば、アクセス・ポイントのセクタと称される。態様では、アンテナ・グループは各々、アクセス・ポイント４００によってカバーされた領域のセクタ内のアクセス端末に通信するように設計される。
【００５５】
順方向リンク４２０、４２６による通信では、アクセス・ポイント４００の送信アンテナは、別のアクセス端末４１６、４２２の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、アクセス端末の全てへ単一のアンテナによって送信するアクセス・ポイントよりも、近隣のセル内のアクセス端末に対して少ない干渉しかもたらさない。
【００５６】
アクセス・ポイントは、端末と通信するために使用される固定局であり、アクセス・ポイント、ノードＢ、あるいはその他幾つかの専門用語でも称されうる。アクセス端末はまた、ユーザ機器（ＵＥ）、無線通信デバイス、端末、あるいはその他のいくつかの用語で称されうる。
【００５７】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割されうる。ここで、ＮＳ≦｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えうる。
【００５８】
ＭＩＭＯシステムは、時分割デュプレクス（“ＴＤＤ”）および周波数分割デュプレクス（“ＦＤＤ”）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００５９】
本明細書における教示は、少なくとも１つの他のノードと通信するためにさまざまな構成要素を適用するノード（例えば、デバイス）へ組み込まれうる。図５は、ノード間の通信を容易にするために適用されうるいくつかのサンプル構成要素を図示する。特に、図５は、ＭＩＭＯシステム５００の無線デバイス５１０（例えば、アクセス・ポイント）と無線デバイス５５０（例えば、アクセス端末）とを例示する。デバイス５１０では、多くのデータ・ストリームのトラフィック・データが、データ・ソース５１２から送信（“ＴＸ”）データ・プロセッサ５１４へ提供される。
【００６０】
いくつかの態様では、各データ・ストリームが、それぞれの送信アンテナを介して送信される。ＴＸデータ・プロセッサ５１４は、トラフィック・データ・ストリームをフォーマットし、このデータ・ストリームのために選択された特定の符号化スキームに基づいて符号化し、インタリーブして、符号化されたデータを提供する。
【００６１】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ５３０によって実行される命令群によって決定される。データ・メモリ５３２は、デバイス５１０のプロセッサ５３０またはその他の構成要素によって使用されるプログラム・コード、データ、およびその他の情報を格納しうる。
【００６２】
すべてのデータ・ストリームの変調シンボルは、（例えば、ＯＦＤＭのために）変調シンボルをさらに処理するＴＸ  ＭＩＭＯプロセッサ５２０に提供される。その後、ＴＸ  ＭＩＭＯプロセッサ５２０は、おのおのが送信機（ＴＭＴＲ）および受信機（ＲＣＶＲ）を有するＮＴ個のトランシーバ（“ＸＣＶＲ”）５２２ａ乃至５２２ｔへＮＴ個の変調シンボル・ストリームを提供する。いくつかの態様では、ＴＸ  ＭＩＭＯプロセッサ５２０は、データ・ストリームのシンボルへ、および、このシンボルの送信がなされるアンテナへビームフォーミング重みを適用する。
【００６３】
各トランシーバ５２２ａ−５２２ｔは、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。トランシーバ５２２ａ乃至５２２ｔからのＮＴ個の変調信号は、その後、ＮＴ個のアンテナ５２４ａ乃至５２４ｔからそれぞれ送信される。
【００６４】
デバイス５５０では、送信された変調信号が、ＮＲ個のアンテナ５５２ａ乃至５５２ｒによって受信され、各アンテナ５５２ａ−５５２ｒから受信された信号が、それぞれのトランシーバ（ＸＣＶＲ）５５４ａ乃至５５４ｒへ提供される。各トランシーバ５５４ａ−５５４ｒは、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００６５】
受信（“ＲＸ”）データ・プロセッサ５６０は、その後、ＮＲ個のトランシーバ５５４ａ−５５４ｒからＮＲ個のシンボル・ストリームを受信し、これら受信したＮＲ個のシンボル・ストリームを、特定の受信機処理技術に基づいて処理することにより、ＮＴ個の「検出された」シンボル・ストリームが提供される。ＲＸデータ・プロセッサ５６０は、その後、検出されたおのおののシンボル・ストリームを復調し、デインタリーブし、復号して、そのデータ・ストリームのためのトラフィック・データを復元する。ＲＸデータ・プロセッサ５６０による処理は、デバイス５１０におけるＴＸデータ・プロセッサ５１４およびＴＸ  ＭＩＭＯプロセッサ５２０によって実行されるものに対して相補的である。
【００６６】
プロセッサ５７０は、上述したように、利用可能などの技術を利用するのかを定期的に決定する。プロセッサ５７０は、行列インデクス部およびランク値部を備えた逆方向リンク・メッセージを規定する。データ・メモリ５７２は、デバイス５５０のプロセッサ５７０またはその他の構成要素によって使用されるプログラム・コード、データ、およびその他の情報を格納しうる。
【００６７】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ５３８によって処理され、変調器５８０によって変調され、トランシーバ５５４ａ乃至５５４ｒによって調整され、デバイス５１０へ送り戻される。ＴＸデータ・プロセッサ５３８はまた、データ・ソース５３６から、多くのデータ・ストリームのトラフィック・データを受信する。
【００６８】
デバイス５１０では、デバイス５５０からの変調信号が、アンテナ５２４ａ−５２４ｔによって受信され、トランシーバ５２２ａ−５２２ｔによって調整され、復調器（ＤＥＭＯＤ）５４０によって復調され、ＲＸデータ・プロセッサ５４２によって処理されて、デバイス５５０によって送信された逆方向リンク・メッセージが抽出される。その後、プロセッサ５３０が、ビームフォーミング重みを決定するためにどのプリコーディング行列を使用するのかを決定し、抽出されたメッセージを処理する。
【００６９】
図５はまた、本明細書で教示されたような干渉制御動作を実行する１または複数の構成要素を含みうる通信構成要素を例示する。例えば、他のデバイス（例えば、デバイス５５０）と信号を送信／受信するために、干渉（“ＩＮＴＥＲ”）制御構成要素５９０が、デバイス５１０のプロセッサ５３０および／またはその他の構成要素と連携しうる。同様に、干渉制御構成要素５９２は、プロセッサ５７０、および／または、デバイス５５０のその他の構成要素と連携し、（例えば、デバイス５１０のような）他のデバイスとの間で信号を送信／受信する。おのおののデバイス５１０、５５０について、記述された構成要素のうちの１または複数の機能が、単一の構成要素によって提供されうることが認識されるべきである。例えば、単一の処理構成要素が、干渉制御構成要素５９０およびプロセッサ５３０の機能を提供し、単一の処理構成要素が、干渉制御構成要素５９２およびプロセッサ５７０の機能を提供しうる。
【００７０】
図６は、ネットワーク環境において、１または複数のフェムト・ノードがネットワーク環境内で展開されている典型的な通信システム６００を例示する。具体的には、システム６００は、（例えば、１または複数のユーザ住宅６０４内のような）比較的小規模スケールのネットワーク環境に搭載され、ホーム・ベース・ノード（ＨＮＢ）６０２ａ、６０２ｂとして図示される複数のフェムト・ノードを含む。おのおののフェムト・ノード６０２ａ−６０２ｂは、ＤＳＬルータ、ケーブル・モデム、無線リンク、あるいは（図示しない）その他の接続手段を介して、広域ネットワーク６０６（例えば、インターネット）およびモバイル・オペレータ・コア・ネットワーク６０８へ接続されうる。以下に説明されるように、おのおののフェムト・ノード６０２ａ−６０２ｂは、関連付けられたアクセス端末またはユーザ機器（ＵＥ）６１０ａに、オプションとして（例えば、クローズド加入者グループへの加入者ではない）外部のアクセスＵＥ６１０ｂへサービス提供するように構成されうる。言い換えれば、フェムト・ノード６０２ａ−６０２ｂへのアクセスが制限され、これによって、所与のＵＥ６１０ａ−６１０ｂが、指定された（例えば、住宅のような）フェムト・ノード（単数または複数）６０２ａ−６０２ｂのセットによってサービス提供されうるが、（例えば、近隣のフェムト・ノード６０２ａ−６０２ｂのように）指定されていない何れかのフェムト・ノード６０２ａ−６０２ｂによってサービス提供されない。
【００７１】
フェムト・ノード６０２の所有者は、モバイル・オペレータ・コア・ネットワーク６０８によって提供される、例えば３Ｇモバイル・サービスのようなモバイル・サービスに加入しうる。さらに、アクセス端末またはＵＥ６１０ａ−６１０ｂは、マクロ環境と、（例えば、住宅のような）小規模なネットワーク環境との両方において、動作可能でありうる。言い換えれば、アクセス端末６１０ａ−６１０ｂは、ＵＥ６１０ａ−６１０ｂの現在位置に依存して、マクロ・セル・モバイル・ネットワーク６０８のアクセス・ノードまたはマクロ・ベース・ノード６１２によって、あるいは、（例えば、対応するユーザ住宅６０４内に存在するフェムト・ノード６０２ａ−６０２ｂのような）フェムト・ノード６０２のセットのうちの何れか１つによってサービス提供されうる。例えば、加入者が、自宅の外にいる場合、標準的なマクロ・アクセス・ノード（例えば、ノード６１２）によってサービス提供され、加入者が、自宅にいる場合、フェムト・ノード（例えば、ノード６０２ａ−６０２ｂ）によってサービス提供されている。ここでは、フェムト・ノード６０２ａ−６０２ｂは、既存のアクセス端末またはＵＥ６１０ａ−６１０ｂとの後方互換性を持ちうることが認識されるべきである。
【００７２】
フェムト・ノード６０２ａ−６０２ｂは、単一の周波数で、代替例では、複数の周波数で展開されうる。特定の構成に依存して、単一の周波数、または、複数の周波数のうちの１または複数が、（例えば、ノード６１２のような）マクロ・ノードによって使用される１または複数の周波数とオーバラップしうる。
【００７３】
いくつかの態様では、アクセス端末またはＵＥ６１０ａ−６１０ｂは、（例えば、アクセス端末またはＵＥ６１０ａ−６１０ｂのホーム・フェムト・ノードのような）好適なフェムト・ノードとの接続が可能である場合には常に接続するように構成されうる。例えば、アクセス端末またはＵＥ６１０ａ−６１０ｂがユーザの住宅６０４内にある場合には常に、アクセス端末またはＵＥ６１０ａ−６１０ｂは、ホーム・フェムト・ノード６０２ａ−６０２ｂとのみ通信することが望まれうる。
【００７４】
いくつかの態様では、アクセス端末またはＵＥ６１０ａ−６１０ｂが、マクロ・セルラ・ネットワーク６０８内で動作するものの、（例えば、好適ローミング・リストで定義されたような）最も好適なネットワークに存在しない場合、アクセス端末またはＵＥ６１０ａ−６１０ｂは、良好なシステム再選択（“ＢＳＲ”）を用いて、（例えば、好適なフェムト・ノード６０２ａ−６０２ｂのような）最も好適なネットワークを探索し続ける。これは、良好なシステムが現在利用可能であるかを判定するために利用可能なシステムの定期的な探索と、その後の、好適なシステムとの関連付けのための試行とを含みうる。アクセス端末またはＵＥ６１０ａ−６１０ｂは、獲得エントリを用いて、具体的な帯域およびチャネルを求める探索を制限しうる。例えば、最も好適なシステムの探索は、定期的に反復されうる。アクセス端末６１０ａ−６１０ｂは、好適なフェムト・ノード６０２ａ−６０２ｂを発見すると、有効通信範囲エリア内でキャンプするためのフェムト・ノード６０２ａ−６０２ｂを選択する。
【００７５】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅６０４内に存在するフェムト・セル６０２ａ−６０２ｂのように）定義されたフェムト・ノードのセットによってのみサービス提供されうる。いくつかの実施では、ノードは、少なくとも１つのノードのために、シグナリング、データ・アクセス、登録、ページング、またはサービスのうちの少なくとも１つを提供しないように制限されうる。
【００７６】
図７を参照して、無線通信システムおいて、複数のチャネルにわたる復号を容易にするシステム７０００が例示される。例えば、システム７００は、基地局内に少なくとも部分的に存在しうる。システム７００は、コンピューティング・プラットフォーム、プロセッサ、ソフトウェア、またはこれらの組み合わせ（例えば、ファームウェア）によって実現される機能を表す機能ブロックでありうる機能ブロックを含むものとして示されることが認識されるべきである。システム７００は、連携して動作しうる電子構成要素の論理グループ７０２を含む。例えば、論理グループ７０２は、サービス提供されているデバイスへ、ダウンリンクで、スケジューリング・イベントを送信するための電子構成要素７０４を含みうる。さらに、論理グループ７０２は、符号化された送信を、サービス提供されているデバイスから、符号化された複数のアップリンク・チャネルのうちの１つで受信するための電子構成要素７０６を含みうる。さらに、論理グループ７０２は、スケジューリング・イベントに基づいて、符号化される可能性の低減されたアップリンク・チャネルのセットを決定するための電子構成要素７０８を含みうる。論理グループ７０２は、符号化される可能性の低減されたアップリンク・チャネルのセットのうちのどれが送信されたのかを検出する電子構成要素７１０を含みうる。それに加えて、システム７００は、電子構成要素７０４−７１０に関連付けられた機能を実行するための命令群を保持するメモリ７２０を含みうる。メモリ７２０の外側にあると示されているが、電子構成要素７０４−７１０のうちの１または複数は、メモリ７２０内に存在しうることが理解されるべきである。
【００７７】
図８を参照して、無線通信システムにおいて、複数のチャネルにわたる復号を容易にする装置８０２が提供される。サービス提供されているデバイスへ、ダウンリンクで、スケジューリング・イベントを送信する手段８０４が提供される。符号化された送信を、サービス提供されているデバイスから、符号化された複数のアップリンク・チャネルで受信する手段８０６が提供される。スケジューリング・イベントに基づいて、符号化される可能性の低減されたアップリンク・チャネルのセットを決定する手段が８０８提供される。符号化される可能性の低減されたアップリンク・チャネルのセットのうちのどれが送信されたのかを検出する手段８１０が提供される。
【００７８】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７９】
当業者であればさらに、本明細書で開示された実施形態に関連して記載された例示的なさまざまな論理ブロック、モジュール、回路、およびアルゴリズム・ステップは、電子ハードウェア、コンピュータ・ソフトウェア、またはこれら両方の組み合わせとして実現されうることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００８０】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバ上で実行中のアプリケーションと、サーバとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。
【００８１】
「典型的である」という単語は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。
【００８２】
さまざまな態様または特徴が、多くのデバイス、構成要素、モジュール等を含むシステムの観点から示されるだろう。さまざまなシステムが、追加の構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。本明細書に開示されたさまざまな態様は、タッチ・スクリーン・ディスプレイ技術および／またはマウス−キーボード・タイプのインタフェースを利用するデバイスを含む電子デバイス上で実行されうる。このようなデバイスの例は、コンピュータ（デスクトップおよびモバイル）、スマート・フォン、携帯情報端末（ＰＤＡ）、および有線および無線の両方のその他の電子デバイスを含む。
【００８３】
さらに、本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８４】
さらに、１または複数のバージョンは、開示された態様を実現するために、コンピュータを制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」（または、その代わりに、「コンピュータ・プログラム製品」）は、任意のコンピュータ読取可能なデバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック）を含みうる。さらに、電子メールの送信または受信の際、あるいは、例えばインターネットまたはローカル・エリア・ネットワーク（ＬＡＮ）のようなネットワークにアクセスする際に使用されるようなコンピュータ読取可能な電子データを搬送するために、搬送波が適用されうることが認識されるべきである。もちろん、当業者であれば、開示された態様のスコープから逸脱することなく多くの変形が、この構成とされうることを認識するだろう。
【００８５】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００８６】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【００８７】
前述された典型的なシステムを考慮して、開示された主題にしたがって実現される方法が、さまざまなフロー図を参照して記述された。説明を単純にする目的のために、これら方法は、一連のブロックとして図示および説明されているが、権利主張される主題は、これらブロックの順序によって限定されず、いくつかのブロックは、本明細書に図示および記載されたものと別の順序で、および／または、他のブロックと同時に生じうることが理解および認識されるべきである。さらに、本明細書に記載された方法を実施するために、必ずしも例示されたすべてのブロックが必要とされる訳ではない。それに加えて、本明細書で開示される方法は、これら方法をコンピュータへ伝送および転送することを容易にするために、製造物品に格納されることが可能であることが認識されるべきである。本明細書で使用される用語である製造物品は、任意のコンピュータ読取可能なデバイス、キャリア、または媒体からアクセスすることが可能なコンピュータ・プログラムを含むことが意図される。
【００８８】
本明細書において参照によって組み込まれるべきであると言われるいずれの特許、出版物、またはその他の開示資料の全体または一部は、本明細書において、組み込まれた資料が、既存の定義、命令、または、本開示で述べられたその他の開示資料とコンフリクトしない程度に組み込まれていることが認識されるべきである。それゆえ、必要な程度まで、本明細書に明確に記載された開示は、参照によって本明細書に組み込まれたコンフリクトするあらゆる資料の代わりになる。本明細書において参照によって組み込まれると言われているものの既存の定義、記述、または、本明細書に記載されたその他の開示資料とコンフリクトする何れの資料またはその一部は、組み込まれた資料と既存の開示資料との間でのコンフリクトを引き起こさないという程度まで組み込まれるだろう。
以下に、出願当初の特許請求の範囲に記載された発明を付記する。
［Ｃ１］
無線通信システムにおいて、複数のチャネルにわたる復号を容易にする方法であって、
以下の動作を実現するために、コンピュータ読取可能な記憶媒体に格納されたコンピュータ実行可能な命令群を実行するプロセッサを適用することと、
スケジューリング・イベントを、サービス提供されているデバイスへ、ダウンリンクで送信することと、
前記サービス提供されているデバイスから、符号化された送信を、複数の符号化アップリンク・チャネルのうちの１つで受信することと、
前記スケジューリング・イベントに基づいて、符号化アップリンク・チャネルの可能性の低減されたセットを決定することと、
前記符号化アップリンク・チャネルの可能性の低減されたセットのうちのどれが送信されたのかを検出することと、を備える方法。
［Ｃ２］
前記サービス提供されているデバイスによって送信することが、または送信しないことが可能な応答のおのおのの組み合わせであって、アクノレッジメント（ＡＣＫ）、チャネル・フィードバック・インジケータ（ＣＱＩ）、データ、前記ＡＣＫとともに符号化されたデータ、前記ＣＱＩとともに符号化されたデータ、および、前記ＡＣＫおよび前記ＣＱＩの両方とともに符号化されたデータを備える組み合わせを決定することによって、符号化アップリンク・チャネルの可能性の低減されたセットを決定することと、
前記スケジューリング・イベントのダウンリンク送信に応答しない送信を有する組み合わせを除去することによって、組み合わせのセットを低減することと、をさらに備えるＣ１に記載の方法。
［Ｃ３］
アップリンク・データ許可、ダウンリンク許可、およびアップリンク・チャネル・フィードバック許可からなるグループのうちの１または複数として、前記スケジューリング・イベントを送信すること、をさらに備えるＣ１に記載の方法。
［Ｃ４］
前記グループはさらに、持続的なアップリンク・データ許可からなる、Ｃ３に記載の方法。
［Ｃ５］
アップリンク・データ許可、ダウンリンク許可、およびアップリンク・チャネル・フィードバック許可からなる前記スケジューリング・イベントを送信することと、
前記サービス提供されているデバイスが、少なくとも１つのスケジューリング・イベントに応答すると仮定することによって、スケジューリング・イベントに基づいて、符号化アップリンク・チャネルの可能性の低減されたセットを決定することと、
アップリンク・データを第１のアップリンク・チャネルで検出することと、
アクノレッジメント、チャネル・フィードバック、またはこれら両方とともに多重化されたアップリンク・データを、前記第１のアップリンク・チャネルで検出することと、
アップリンク・チャネル・フィードバックを第２のアップリンク・チャネルで検出することと、をさらに備えるＣ３に記載の方法。
［Ｃ６］
前記アップリンク・データ許可は、持続的な許可を備える、Ｃ５に記載の方法。
［Ｃ７］
前記アップリンク・チャネル・フィードバック許可は、周期的な許可を備える、Ｃ５に記載の方法。
［Ｃ８］
アップリンク・データ許可、ダウンリンク許可、およびアップリンク・チャネル・フィードバック許可からなる組み合わせとして、前記スケジューリング・イベントを送信することと、
前記サービス提供されているデバイスが少なくとも１つのスケジューリング・イベントに応答し、送信されていないスケジューリング・イベントの組み合わせに応答しないと仮定することによって、スケジューリング・イベントに基づいて、符号化アップリンク・チャネルの可能性の低減されたセットを決定することと、
アップリンク・データを第１のアップリンク・チャネルで検出すること、
アクノレッジメント、チャネル・フィードバック、またはこれら両方とともに多重化されたアップリンク・データを、前記第１のアップリンク・チャネルで検出すること、および、
アップリンク・チャネル・フィードバックを第２のアップリンク・チャネルで検出すること、のうちの少なくとも１つを実行することによって、前記符号化アップリンク・チャネルの可能性の低減されたセットのうちのどれが送信されたのかを検出することと、をさらに備えるＣ３に記載の方法。
［Ｃ９］
前記第２のアップリンク・チャネルにおけるアップリンク・チャネル・フィードバック許可は、周期的な許可を備える、Ｃ８に記載の方法。
［Ｃ１０］
前記アップリンク・データ許可は、持続的な許可を備える、Ｃ８に記載の方法。
［Ｃ１１］
物理アップリンク制御チャネル（ＰＵＣＣＨ）および物理アップリンク共有チャネル（ＰＵＳＣＨ）においてエネルギ検出を実行することによって、前記符号化アップリンク・チャネルの可能性の低減されたセットのうちのどれが送信されたのかを検出することをさらに備える、Ｃ１に記載の方法。
［Ｃ１２］
ＰＵＳＣＨにおいて、復調基準信号からのエネルギ検出を実行することをさらに備える、Ｃ１１に記載の方法。
［Ｃ１３］
ＰＵＳＣＨにおいて、データおよび復調基準信号（ＲＳ）からのエネルギ検出を実行することをさらに備える、Ｃ１１に記載の方法。
［Ｃ１４］
ＰＵＳＣＨにおいて、非コヒーレントな蓄積によるエネルギ検出を実行することをさらに備える、Ｃ１１に記載の方法。
［Ｃ１５］
サブフレーム内に存在するチャネル品質インジケーション（ＣＱＩ）を判定することに応じてＰＵＣＣＨでエネルギ検出を実行することをさらに備え、
エネルギ検出の前に、ＰＵＣＣＨの周波数領域逆拡散がなされる、Ｃ１に記載の方法。
［Ｃ１６］
ＰＵＳＣＨにおいて、復調基準信号およびチャネル品質インジケーション（ＣＱＩ）からエネルギ検出を実行することをさらに備える、Ｃ１に記載の方法。
［Ｃ１７］
異なる送信電力制御を補償するために、前記物理アップリンク制御チャネル（ＰＵＣＣＨ）および前記物理アップリンク共有チャネル（ＰＵＳＣＨ）におけるエネルギ検出を規格化することをさらに備える、Ｃ１に記載の方法。
［Ｃ１８］
エネルギ検出値を、電力スペクトル密度オフセットに関してスケールすることをさらに備える、Ｃ１７に記載の方法。
［Ｃ１９］
ＰＵＳＣＨ対ＰＵＣＣＨのために相対的な判定基準を用いることをさらに備える、Ｃ１７に記載の方法。
［Ｃ２０］
ＰＵＳＣＨ対ＰＵＣＣＨのために絶対的な判定基準を用いることをさらに備える、Ｃ１７に記載の方法。
［Ｃ２１］
無線通信システムにおいて、複数のチャネルにわたる復号を容易にするためのコンピュータ・プログラム製品であって、
少なくとも１つのプロセッサによって実行された場合、以下の構成要素を実現するコンピュータ実行可能な命令群を格納する、少なくとも１つのコンピュータ読取可能な記憶媒体を備え、前記構成要素は、
サービス提供されているデバイスへ、ダウンリンクで、スケジューリング・イベントを送信するためのコードからなる第１のセットと、
前記サービス提供されているデバイスから、符号化された送信を、複数の符号化アップリンク・チャネルで受信するためのコードからなる第２のセットと、
前記スケジューリング・イベントに基づいて、符号化アップリンク・チャネルの可能性の低減されたセットを決定するためのコードからなる第３のセットと、
前記符号化アップリンク・チャネルの可能性の低減されたセットのうちのどれが送信されたのかを検出するためのコードからなる第４のセットと、を備えるコンピュータ・プログラム製品。
［Ｃ２２］
無線通信システムにおいて、複数のチャネルにわたる復号を容易にする装置であって、
サービス提供されているデバイスへ、ダウンリンクで、スケジューリング・イベントを送信する手段と、
前記サービス提供されているデバイスから、符号化された送信を、複数の符号化アップリンク・チャネルのうちの１つで受信する手段と、
前記スケジューリング・イベントに基づいて、符号化アップリンク・チャネルの可能性の低減されたセットを決定する手段と、
前記符号化アップリンク・チャネルの可能性の低減されたセットのうちのどれが送信されたのかを検出する手段と、を備える装置。
［Ｃ２３］
無線通信システムにおいて、複数のチャネルにわたる復号を容易にする装置であって、
サービス提供されているデバイスへ、ダウンリンクで、スケジューリング・イベントを送信する送信機と、
前記サービス提供されているデバイスから、符号化された送信を、複数の符号化アップリンク・チャネルで受信する受信機と、
前記スケジューリング・イベントに基づいて、符号化アップリンク・チャネルの可能性の低減されたセットを決定するコンピューティング・プラットフォームと、
前記符号化アップリンク・チャネルの可能性の低減されたセットのうちのどれが送信されたのかを検出する検出器と、を備える装置。
［Ｃ２４］
前記コンピューティング・プラットフォームはさらに、
前記サービス提供されているデバイスによって送信することが、または送信しないことが可能な応答のおのおのの組み合わせであって、アクノレッジメント（ＡＣＫ）、チャネル・フィードバック・インジケータ（ＣＱＩ）、データ、前記ＡＣＫとともに符号化されたデータ、前記ＣＱＩとともに符号化されたデータ、および、前記ＡＣＫおよび前記ＣＱＩの両方とともに符号化されたデータを備える組み合わせを決定することによって、符号化アップリンク・チャネルの可能性の低減されたセットを決定し、
前記スケジューリング・イベントのダウンリンク送信に応答しない送信を有する組み合わせを除去することによって、組み合わせのセットを低減する、Ｃ２３に記載の装置。
［Ｃ２５］
前記送信機はさらに、アップリンク・データ許可、ダウンリンク許可、およびアップリンク・チャネル・フィードバック許可からなるグループのうちの１または複数として、前記スケジューリング・イベントを送信する、Ｃ２３に記載の装置。
［Ｃ２６］
前記グループはさらに、持続的なアップリンク・データ許可からなる、Ｃ２５に記載の装置。
［Ｃ２７］
前記送信機はさらに、アップリンク・データ許可、ダウンリンク許可、およびアップリンク・チャネル・フィードバック許可からなる前記スケジューリング・イベントを送信し、
前記コンピューティング・プラットフォームはさらに、前記サービス提供されているデバイスが、少なくとも１つのスケジューリング・イベントに応答すると仮定することによって、スケジューリング・イベントに基づいて、符号化アップリンク・チャネルの可能性の低減されたセットを決定し、アップリンク・データを第１のアップリンク・チャネルで検出し、
前記検出器はさらに、アクノレッジメント、チャネル・フィードバック、またはこれら両方とともに多重化されたアップリンク・データを、前記第１のアップリンク・チャネルで検出し、アップリンク・チャネル・フィードバックを第２のアップリンク・チャネルで検出する、Ｃ２５に記載の装置。
［Ｃ２８］
前記アップリンク・データ許可は、持続的な許可を備える、Ｃ２７に記載の装置。
［Ｃ２９］
前記アップリンク・チャネル・フィードバック許可は、周期的な許可を備える、Ｃ２７に記載の装置。
［Ｃ３０］
前記送信機はさらに、アップリンク・データ許可、ダウンリンク許可、およびアップリンク・チャネル・フィードバック許可からなる組み合わせとして、前記スケジューリング・イベントを送信し、
前記コンピューティング・プラットフォームはさらに、前記サービス提供されているデバイスが少なくとも１つのスケジューリング・イベントに応答し、送信されていないスケジューリング・イベントの組み合わせに応答しないと仮定することによって、スケジューリング・イベントに基づいて、符号化アップリンク・チャネルの可能性の低減されたセットを決定し、
前記検出器はさらに、アップリンク・データを第１のアップリンク・チャネルで検出すること、アクノレッジメント、チャネル・フィードバック、またはこれら両方とともに多重化されたアップリンク・データを、前記第１のアップリンク・チャネルで検出すること、および、アップリンク・チャネル・フィードバックを第２のアップリンク・チャネルで検出すること、のうちの少なくとも１つを実行することによって、前記符号化アップリンク・チャネルの可能性の低減されたセットのうちのどれが送信されたのかを検出する、Ｃ２５に記載の装置。
［Ｃ３１］
前記第２のアップリンク・チャネルにおけるアップリンク・チャネル・フィードバック許可は、周期的な許可を備える、Ｃ３０に記載の装置。
［Ｃ３２］
前記アップリンク・データ許可は、持続的な許可を備える、Ｃ３０に記載の装置。
［Ｃ３３］
前記検出器はさらに、物理アップリンク制御チャネル（ＰＵＣＣＨ）および物理アップリンク共有チャネル（ＰＵＳＣＨ）においてエネルギ検出を実行することによって、前記符号化アップリンク・チャネルの可能性の低減されたセットのうちのどれが送信されたのかを検出する、Ｃ２３に記載の装置。
［Ｃ３４］
前記検出器はさらに、ＰＵＳＣＨにおいて、復調基準信号からのエネルギ検出を実行する、Ｃ３３に記載の装置。
［Ｃ３５］
前記検出器はさらに、ＰＵＳＣＨにおいて、データおよび復調基準信号（ＲＳ）からのエネルギ検出を実行する、Ｃ３３に記載の装置。
［Ｃ３６］
前記検出器はさらに、ＰＵＳＣＨにおいて、非コヒーレントな蓄積によるエネルギ検出を実行する、Ｃ３３に記載の装置。
［Ｃ３７］
前記検出器はさらに、サブフレーム内に存在するチャネル品質インジケーション（ＣＱＩ）を判定することに応じてＰＵＣＣＨでエネルギ検出を実行し、
エネルギ検出の前に、ＰＵＣＣＨの周波数領域逆拡散がなされる、Ｃ３３に記載の装置。
［Ｃ３８］
前記検出器はさらに、基準信号およびチャネル品質インジケーション（ＣＱＩ）を復調することによってＰＵＳＣＨにおいてエネルギ検出を実行する、Ｃ３３に記載の装置。
［Ｃ３９］
前記コンピューティング・プラットフォームはさらに、異なる送信電力制御を補償するために、前記物理アップリンク制御チャネル（ＰＵＣＣＨ）および前記物理アップリンク共有チャネル（ＰＵＳＣＨ）におけるエネルギ検出を規格化する、Ｃ３３に記載の装置。
［Ｃ４０］
前記コンピューティング・プラットフォームはさらに、エネルギ検出値を、電力スペクトル密度オフセットに関してスケールする、Ｃ３９に記載の装置。
［Ｃ４１］
前記コンピューティング・プラットフォームはさらに、ＰＵＳＣＨ対ＰＵＣＣＨのために相対的な判定基準を用いる、Ｃ３９に記載の装置。
［Ｃ４２］
前記コンピューティング・プラットフォームはさらに、ＰＵＳＣＨ対ＰＵＣＣＨのために絶対的な判定基準を用いる、Ｃ３９に記載の装置。
【図１】
0005503009.tif 000002
【図２Ａ】
0005503009.tif 000003
【図２Ｂ】
0005503009.tif 000004
【図３】
0005503009.tif 000005
【図４】
0005503009.tif 000006
【図５】
0005503009.tif 000007
【図６】
0005503009.tif 000008
【図７】
0005503009.tif 000009
【図８】
0005503009.tif 000010